(57)【要約】【課題】装置の小型化を実現しつつ、紙幣の表裏を反転させるための紙幣処理装置を提供する。【解決手段】紙幣が投入される接客部と、紙幣の表裏状態を判定する判定部と、前記判定部により表裏状態が第１の状態であると判定された紙幣を前記接客部への搬送を介さずに所定の搬送先へ搬送し、前記判定部により表裏状態が第２の状態であると判定された紙幣を前記接客部への搬送を介して前記所定の搬送先へ搬送する搬送部と、を備える、紙幣処理装置。【選択図】図３
2016071573.tif 000002
【特許請求の範囲】
【請求項１】
紙幣が投入される接客部と、
紙幣の表裏状態を判定する判定部と、
前記判定部により表裏状態が第１の状態であると判定された紙幣を前記接客部への搬送を介さずに所定の搬送先へ搬送し、前記判定部により表裏状態が第２の状態であると判定された紙幣を前記接客部への搬送を介して前記所定の搬送先へ搬送する搬送部と、
を備える、紙幣処理装置。
【請求項２】
前記接客部は、
紙幣の繰出口と、
前記搬送部により搬送された前記紙幣を受け入れる受入口と、
を有し、
前記搬送部は、前記受入口から受け入れた紙幣を前記繰出口から搬送する際に、前記受入口から受け入れた紙幣の後側から繰り出す、請求項１に記載の紙幣処理装置。
【請求項３】
前記紙幣処理装置は、
紙幣を集積する紙幣集積部と、
紙幣を結束する紙幣結束部と、
前記紙幣結束部により結束される紙幣が集積される結束紙幣集積部と、をさらに備え、
前記紙幣結束部および前記結束紙幣集積部は、前記接客部、前記判定部、および前記搬送部よりも上方に設けられ、
前記搬送部は、前記紙幣集積部から分離した紙幣を前記判定部へ搬送し、前記表裏状態が第１の状態であると判定された紙幣を前記結束紙幣集積部へ搬送し、前記表裏状態が第２の状態であると判定された紙幣を前記接客部への搬送を介して前記結束紙幣集積部へ搬送する、請求項１または２に記載の紙幣処理装置。
【請求項４】
前記紙幣処理装置は、
紙幣を一時的に集積する一時保留部と、
紙幣を集積する複数の紙幣集積部と、をさらに備え、
前記搬送部は、前記接客部から入金され前記一時保留部へ搬送された紙幣を分離して前記判定部へ搬送し、前記表裏状態が第１の状態であると判定された紙幣を第１の紙幣集積部へ搬送し、前記表裏状態が第２の状態であると判定された紙幣を金種別に第２の紙幣集積部へ搬送する、請求項１または２に記載の紙幣処理装置。
【請求項５】
前記搬送部は、前記第１の紙幣集積部から分離した紙幣を、前記接客部への搬送を介して、金種別に第２の紙幣集積部へ搬送する、請求項４に記載の紙幣処理装置。
【請求項６】
前記紙幣処理装置は、
紙幣を一時的に集積する一時保留部と、
紙幣を集積する複数の紙幣集積部と、をさらに備え、
前記搬送部は、前記接客部から入金され前記一時保留部へ搬送された紙幣を分離して前記判定部へ搬送し、前記表裏状態が第１の状態であると判定された指定金種の紙幣を第１の紙幣集積部へ搬送し、前記表裏状態が第２の状態であると判定された指定金種の紙幣を第２の紙幣集積部へ搬送する、請求項１または２に記載の紙幣処理装置。
【請求項７】
前記紙幣処理装置は、
紙幣を一時的に集積する一時保留部と、
紙幣を結束する紙幣結束部と、
前記紙幣結束部により結束される紙幣が集積される結束紙幣集積部と、をさらに備え、
前記紙幣結束部および前記結束紙幣集積部は、前記接客部、前記判定部、前記搬送部、および前記一時保留部よりも上方に設けられ、
前記搬送部は、前記接客部から入金された紙幣を分離して前記判定部へ搬送し、前記表裏状態が第１の状態であると判定された指定金種の紙幣を前記結束紙幣集積部へ搬送し、前記表裏状態が第２の状態であると判定された指定金種の紙幣を前記接客部への搬送を介して前記結束紙幣集積部へ搬送し、指定金種以外の紙幣および異常紙幣を前記一時保留部へ搬送する、請求項１または２に記載の紙幣処理装置。
【請求項８】
前記結束紙幣集積部は、１つである、請求項３または７に記載の紙幣処理装置。
【請求項９】
前記第１の状態は、裏状態であって、
前記第２の状態は、表状態である、請求項１〜８のいずれか１項に記載の紙幣処理装置。
【請求項１０】
紙幣の表裏状態を判定する判定部と、
紙幣を結束する紙幣結束部と、
前記紙幣結束部により結束される紙幣が集積される結束紙幣集積部と、
紙幣折返部と、
前記判定部から前記結束紙幣集積部へ向かう第１の搬送路と、前記判定部から前記紙幣折返部に向かう第２の搬送路とに分岐する分岐部と、
を備え、
前記分岐部は、前記判定部により表裏状態が第１の状態であると判定された紙幣を前記第１の搬送路に送り込み、前記判定部により表裏状態が第２の状態であると判定された紙幣を前記第２の搬送路へ送り込み、前記紙幣折返部で進路を折り返した紙幣を前記第２の搬送路から前記第１の搬送路へ送り込む、紙幣処理装置。
【請求項１１】
前記紙幣処理装置は、紙幣を集積する紙幣集積部をさらに備え、
前記分岐部は、前記紙幣集積部から分離され前記判定部により前記表裏状態が第１の状態であると判定された紙幣を前記第１の搬送路に送り込み、前記表裏状態が第２の状態であると判定された紙幣を前記第２の搬送路へ送り込み、前記紙幣折返部で進路を折り返して前記第２の搬送路から前記第１の搬送路へ送り込む、請求項１０に記載の紙幣処理装置。
【請求項１２】
前記紙幣処理装置は、紙幣が投入される接客部をさらに備え、
前記分岐部は、前記接客部から入金され前記判定部により前記表裏状態が第１の状態であると判定された指定金種の紙幣を前記第１の搬送路に送り込み、前記表裏状態が第２の状態であると判定された指定金種の紙幣を前記第２の搬送路へ送り込み、前記紙幣折返部で進路を折り返して前記第２の搬送路から前記第１の搬送路に送り込み、指定金種以外の紙幣および異常紙幣を接客部へ搬送する、請求項１０に記載の紙幣処理装置。
【請求項１３】
前記紙幣折返部は、紙幣を一時的に集積する一時保留部である、請求項１０〜１２のいずれか１項に記載の紙幣処理装置。
【請求項１４】
前記第１の状態は、裏状態であって、
前記第２の状態は、表状態である、請求項１０〜１３のいずれか１項に記載の紙幣処理装置。
【請求項１５】
前記紙幣結束部および前記結束紙幣集積部は、前記判定部、前記紙幣折返部、および前記分岐部よりも上方に設けられる、請求項１０〜１４のいずれか１項に記載の紙幣処理装置。
【請求項１６】
前記結束紙幣集積部は、１つである、請求項１０〜１５のいずれか１項に記載の紙幣処理装置。
【発明の詳細な説明】
【技術分野】
【０００１】
本発明は、紙幣処理装置に関する。
【背景技術】
【０００２】
従来、出納システムは、金融機関内等に設置されており、例えば紙幣を入出する紙幣入出金機や紙幣を所定枚数ごとに施封する施封小束支払機等、紙幣や硬貨の取引に関する種々の処理を行う複数種類の装置の組み合わせにより構成されている。
【０００３】
このうち施封小束支払機は、例えば紙幣入出金機から入金された紙幣の種別を判別し、種別毎に集積した所定枚数（例えば１００枚）の紙幣を施封して紙幣小束を排出する機能を有する。ここで、施封する紙幣は表裏が揃っている必要があるが、紙幣入出金機から入金される紙幣は表裏が揃っていないことが一般的である。したがって、従来の施封小束支払機には、紙幣の表裏を反転させる表裏反転機構が設けられていた。
【０００４】
また、下記特許文献１では、施封用紙幣として紙幣を表向きで集積する際に、裏向きの紙幣は一時保留部へ搬送して排除し、表向きの紙幣のみを集積することで、紙幣の表裏を揃えている。
【先行技術文献】
【特許文献】
【０００５】
【特許文献１】ＷＯ２００９−１１８８３９号公報
【発明の概要】
【発明が解決しようとする課題】
【０００６】
しかしながら、上述した表裏反転機構を紙幣処理装置に実装すると、装置サイズが大きくなってしまい、表裏反転機構を実装した上で装置サイズを小さくしようとすると、現金容量（紙幣カセットの容量）が小さくなってしまうという問題があった。
【０００７】
また、表裏反転機構を有さない紙幣処理装置の場合、オペレータが予め紙幣カセットに表裏を揃えた紙幣を装填しなければならず、手間がかかっていた。また、上記特許文献１では、裏向き紙幣を排除してしまうため、紙幣処理装置に収納されている現金を有効利用することができなかった。
【０００８】
そこで、本発明は、上記問題に鑑みてなされたものであり、本発明の目的とするところは、装置の小型化を実現しつつ、紙幣の表裏を反転させることが可能な、新規かつ改良された紙幣処理装置を提供することにある。
【課題を解決するための手段】
【０００９】
上記課題を解決するために、本発明のある観点によれば、紙幣が投入される接客部と、紙幣の表裏状態を判定する判定部と、前記判定部により表裏状態が第１の状態であると判定された紙幣を前記接客部への搬送を介さずに所定の搬送先へ搬送し、前記判定部により表裏状態が第２の状態であると判定された紙幣を前記接客部への搬送を介して前記所定の搬送先へ搬送する搬送部と、を備える、紙幣処理装置が提供される。
【００１０】
また、前記接客部は、紙幣の繰出口と、前記搬送部により搬送された前記紙幣を受け入れる受入口と、を有し、前記搬送部は、前記受入口から受け入れた紙幣を前記繰出口から搬送する際に、前記受入口から受け入れた紙幣の後側から繰り出してもよい。
【００１１】
また、前記紙幣処理装置は、紙幣を集積する紙幣集積部と、紙幣を結束する紙幣結束部と、前記紙幣結束部により結束される紙幣が集積される結束紙幣集積部と、をさらに備え、前記紙幣結束部および前記結束紙幣集積部は、前記接客部、前記判定部、および前記搬送部よりも上方に設けられ、前記搬送部は、前記紙幣集積部から分離した紙幣を前記判定部へ搬送し、前記表裏状態が第１の状態であると判定された紙幣を前記結束紙幣集積部へ搬送し、前記表裏状態が第２の状態であると判定された紙幣を前記接客部への搬送を介して前記結束紙幣集積部へ搬送してもよい。
【００１２】
また、前記紙幣処理装置は、紙幣を一時的に集積する一時保留部と、紙幣を集積する複数の紙幣集積部と、をさらに備え、前記搬送部は、前記接客部から入金され前記一時保留部へ搬送された紙幣を分離して前記判定部へ搬送し、前記表裏状態が第１の状態であると判定された紙幣を第１の紙幣集積部へ搬送し、前記表裏状態が第２の状態であると判定された紙幣を金種別に第２の紙幣集積部へ搬送してもよい。
【００１３】
また、前記搬送部は、前記第１の紙幣集積部から分離した紙幣を、前記接客部への搬送を介して、金種別に第２の紙幣集積部へ搬送してもよい。
【００１４】
また、前記紙幣処理装置は、紙幣を一時的に集積する一時保留部と、紙幣を集積する複数の紙幣集積部と、をさらに備え、前記搬送部は、前記接客部から入金され前記一時保留部へ搬送された紙幣を分離して前記判定部へ搬送し、前記表裏状態が第１の状態であると判定された指定金種の紙幣を第１の紙幣集積部へ搬送し、前記表裏状態が第２の状態であると判定された指定金種の紙幣を第２の紙幣集積部へ搬送してもよい。
【００１５】
また、前記紙幣処理装置は、紙幣を一時的に集積する一時保留部と、紙幣を結束する紙幣結束部と、前記紙幣結束部により結束される紙幣が集積される結束紙幣集積部と、をさらに備え、前記紙幣結束部および前記結束紙幣集積部は、前記接客部、前記判定部、前記搬送部、および前記一時保留部よりも上方に設けられ、前記搬送部は、前記接客部から入金された紙幣を分離して前記判定部へ搬送し、前記表裏状態が第１の状態であると判定された指定金種の紙幣を前記結束紙幣集積部へ搬送し、前記表裏状態が第２の状態であると判定された指定金種の紙幣を前記接客部への搬送を介して前記結束紙幣集積部へ搬送し、指定金種以外の紙幣および異常紙幣を前記一時保留部へ搬送してもよい。
【００１６】
また、前記結束紙幣集積部は、１つであってもよい。
【００１７】
また、前記第１の状態は、裏状態であって、前記第２の状態は、表状態であってもよい。
【００１８】
上記課題を解決するために、本発明のある観点によれば、紙幣の表裏状態を判定する判定部と、紙幣を結束する紙幣結束部と、前記紙幣結束部により結束される紙幣が集積される結束紙幣集積部と、紙幣折返部と、前記判定部から前記結束紙幣集積部へ向かう第１の搬送路と、前記判定部から前記紙幣折返部に向かう第２の搬送路とに分岐する分岐部と、を備え、前記分岐部は、前記判定部により表裏状態が第１の状態であると判定された紙幣を前記第１の搬送路に送り込み、前記判定部により表裏状態が第２の状態であると判定された紙幣を前記第２の搬送路へ送り込み、前記紙幣折返部で進路を折り返した紙幣を前記第２の搬送路から前記第１の搬送路へ送り込む、紙幣処理装置が提供される。
【００１９】
また、前記紙幣処理装置は、紙幣を集積する紙幣集積部をさらに備え、前記分岐部は、前記紙幣集積部から分離され前記判定部により前記表裏状態が第１の状態であると判定された紙幣を前記第１の搬送路に送り込み、前記表裏状態が第２の状態であると判定された紙幣を前記第２の搬送路へ送り込み、前記紙幣折返部で進路を折り返して前記第２の搬送路から前記第１の搬送路へ送り込んでもよい。
【００２０】
また、前記紙幣処理装置は、紙幣が投入される接客部をさらに備え、前記分岐部は、前記接客部から入金され前記判定部により前記表裏状態が第１の状態であると判定された指定金種の紙幣を前記第１の搬送路に送り込み、前記表裏状態が第２の状態であると判定された指定金種の紙幣を前記第２の搬送路へ送り込み、前記紙幣折返部で進路を折り返して前記第２の搬送路から前記第１の搬送路に送り込み、指定金種以外の紙幣および異常紙幣を接客部へ搬送してもよい。
【００２１】
また、前記紙幣折返部は、紙幣を一時的に集積する一時保留部であってもよい。
【００２２】
また、前記第１の状態は、裏状態であって、前記第２の状態は、表状態であってもよい。
【００２３】
また、前記紙幣結束部および前記結束紙幣集積部は、前記判定部、前記紙幣折返部、および前記分岐部よりも上方に設けられてもよい。
【００２４】
また、前記結束紙幣集積部は、１つであってもよい。
【発明の効果】
【００２５】
以上説明したように本発明によれば、装置の小型化を実現しつつ、紙幣の表裏を反転させることが可能である。
【図面の簡単な説明】
【００２６】
【図１】本発明の実施形態である現金処理装置の外観構成を示した説明図である。
【図２】本実施形態による現金処理装置の内部構成を示すブロック図である。
【図３】本実施形態による紙幣処理部の内部構成を示した説明図である。
【図４】本実施形態による小束出金取引の流れを説明する図である。
【図５】本実施形態による小束出金取引の流れを説明する図である。
【図６】本実施形態による現金処理装置の接客部における紙幣の表裏反転について説明する図である。
【図７】本実施形態による小束出金取引の動作を示すフローチャートである。
【図８】図７に示す小束出金処理の動作を示すフローチャートである。
【図９】図７に示す小束出金処理の動作を示すフローチャートである。
【図１０】本実施形態による入金取引の流れを説明する図である。
【図１１】本実施形態による入金取引の流れを説明する図である。
【図１２】本実施形態による入金取引の流れを説明する図である。
【図１３】本実施形態による入金取引の流れを説明する図である。
【図１４】本実施形態による入金取引の流れを説明する図である。
【図１５】本実施形態による入金取引の動作を示すフローチャートである。
【図１６】本実施形態による入金取引の動作を示すフローチャートである。
【図１７】本実施形態による入金取引の動作を示すフローチャートである。
【図１８】本実施形態による整理施封取引の流れを説明する図である。
【図１９】本実施形態による整理施封取引の流れを説明する図である。
【図２０】本実施形態による整理施封取引の動作を示すフローチャートである。
【図２１】本実施形態による整理施封取引の動作を示すフローチャートである。
【図２２】本実施形態の変形例による紙幣処理部の内部構成を示した説明図である。
【図２３】本実施形態の変形例による小束出金取引の流れを説明する図である。
【図２４】本実施形態の変形例による小束出金取引の流れを説明する図である。
【図２５】本実施形態の変形例による小束出金処理の動作を示すフローチャートである。
【図２６】本実施形態の変形例による小束出金処理の動作を示すフローチャートである。
【図２７】本実施形態の変形例による整理施封取引の動作を示すフローチャートである。
【図２８】本実施形態の変形例による整理施封取引の動作を示すフローチャートである。
【発明を実施するための形態】
【００２７】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２８】
本発明は、以下本明細書において詳細に説明するような多様な形態で実施され得る。また、本実施形態による紙幣処理装置（現金処理装置１０）は、
Ａ．紙幣が投入される接客部（１）と、
Ｂ．紙幣の表裏状態を判定する判定部（鑑別部２）と、
Ｃ．前記判定部により表裏状態が第１の状態であると判定された紙幣を前記接客部への搬送を介さずに所定の搬送先へ搬送し、前記判定部により表裏状態が第２の状態であると判定された紙幣を前記接客部への搬送を介して前記所定の搬送先へ搬送する搬送部（搬送路６）と、
を有する。
【００２９】
このような現金処理装置１０について、まずは概要を説明する。
【００３０】
＜１．現金処理装置の概要＞
［１−１．現金処理装置の外観構成］
図１は、本発明の実施形態である現金処理装置１０の外観構成を示した説明図である。本実施形態による現金処理装置１０は、図１に示すように、装置正面右側に紙幣投入口１１ａおよび紙幣異物返却口１１ｂが設けられ、装置正面左側に硬貨投入口１２ａ、硬貨リジェクト口１２ｂ、硬貨返却口１２ｃ、釣銭出金口１２ｄ、および硬貨出金口１２ｅが設けられ、装置上側にカード挿入排出口１３ａ、印字部（レシートプリンタ）１４、表示部１６、および小束出金口（シャッタ９）が設けられている。
【００３１】
紙幣投入口１１ａは、入金取引における紙幣の投入口および出金取引における紙幣の受取口である。紙幣異物返却口１１ｂは、紙幣投入口１１ａに誤って投入された硬貨等の異物を返却する。
【００３２】
硬貨投入口１２ａは、入金取引における硬貨の投入口である。硬貨リジェクト口１２ｂは、硬貨投入口１２ａから投入された硬貨のうち、計数において硬貨鑑別部（不図示）により異常と認識された硬貨が返却される返却口である。硬貨返却口１２ｃは、計数済み硬貨の返却口である。釣銭出金口１２ｄは、計数された釣銭の受取口である。硬貨出金口１２ｅは、出金取引における出金硬貨の受取口である。
【００３３】
カード挿入排出口１３ａは、管理者等の操作者（オペレータ）のカードの挿入および排出を行う。
【００３４】
印字部（レシートプリンタ）１４は、取引明細等を印字したレシートの排出を行う。
【００３５】
表示部１６は、操作画面や取引内容を表示する。表示部１６は、例えばタッチパネルにより実現され、操作部１５（図２参照）としても機能する。また、図１に示すように、表示部１６の隣にはテンキーが設けられている。
【００３６】
小束出金口（シャッタ９）は、施封部８（図３参照）により施封された小束紙幣の排出を行う。
【００３７】
以上説明した現金処理装置１０は、例えば金融機関の営業店において接客用カウンタの後方に設置され、金銭に関する入金や出金等の各種処理を総合的に実行する。
【００３８】
［１−２．現金処理装置の内部構成］
次に、図２を参照して本実施形態による現金処理装置１０の内部構成について説明する。図２は、本実施形態による現金処理装置１０の内部構成を示すブロック図である。
【００３９】
図２に示すように、現金処理装置１０は、紙幣処理部１１、硬貨処理部１２、カードリーダ部１３、印字部１４、操作部１５、表示部１６、制御部１７、および記憶部１８を有する。
【００４０】
紙幣処理部１１は、紙幣投入口１１ａから投入される入金紙幣を鑑別、計数して紙幣収納部に収納する入金処理、および指定された金種、金額の紙幣を紙幣収納部から繰り出して鑑別、計数した後、紙幣投入口１１ａから出金する出金処理を行う。また、紙幣処理部１１は、施封部８（図３参照）を有し、施封部８により所定枚数の紙幣を施封して小束出金口（シャッタ９）から小束紙幣を出金する。また、紙幣処理部１１は、紙幣投入口１１ａに誤って投入された硬貨等の異物を紙幣異物返却口１１ｂから返却する。
【００４１】
硬貨処理部１２は、硬貨投入口１２ａから投入される入金硬貨を鑑別、計数して硬貨収納部に収納する入金処理、および指定された金種、金額の硬貨を硬貨収納部から繰り出して鑑別、計数した後、硬貨出金口１２ｅから出金する出金処理を行う。また、硬貨処理部１２は、上述した硬貨リジェクト口１２ｂ、硬貨返却口１２ｃ、および釣銭出金口１２ｄを有する。
【００４２】
カードリーダ部１３は、カード挿入排出口１３ａから挿入された管理者や操作者のカードからデータを読み取り、装置へのログインやオペレータ認識等を行う。また、カードリーダ部１３は、取引終了後にカード挿入排出口１３ａからカードを排出する。
【００４３】
印字部１４は、上述したように、取引終了後に取引内容を印字した明細票（レシート）を排出する。
【００４４】
操作部１５は、管理者や操作者の操作を検出する。例えば、操作部１５は、タッチパネルおよびテンキーにより実現される。
【００４５】
表示部１６は、上述したように、操作画面や取引内容を表示する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。
【００４６】
なお、図１においては表示部１６と操作部１５が一体的に構成される例（すなわちタッチパネルディスプレイ）を示しているが、表示部１６および操作部１５の機能は分離して構成されてもよい。
【００４７】
制御部１７は、記憶部１８に格納されている制御プログラムに基づいて現金処理装置１０の各構成を制御する。また、制御部１７は、記憶部１８に格納されている画面を表示部１６に表示して各種の取引を遂行する。また、本実施形態による制御部１７は、紙幣処理部１１の搬送路６ａ〜６ｎ（図３参照）を制御することにより、入金、集積、出金および紙幣移動などの基本動作を制御する。
【００４８】
記憶部１８は、取引時における入力データ等を記憶する他、現金処理装置１０の動作を制御するための制御プログラムが格納されている。また、取引選択画面、各取引における処理ステップ毎の案内画面、および入力画面等も記憶部１８に格納されている。
【００４９】
本発明の実施形態は、上述した現金処理装置１０の紙幣処理部１１で行われる小束施封処理に関する。以下、本実施形態による紙幣処理部１１の構成を説明した後に、本発明の実施形態による各種取引について詳細に説明する。
【００５０】
＜２．紙幣処理部１１の構成＞
図３は、紙幣処理部１１の内部構成を示した説明図である。図３に示したように、紙幣処理部１１は、接客口１９を含む接客部１、鑑別部２、一時保留部３、紙幣カセット４ａ〜４ｄ、リジェクト庫５、搬送路６ａ〜６ｍ、施封紙幣集積部７（結束紙幣集積部）、施封部８（紙幣結束部）、およびシャッタ９（小束出金口）を備える。なお図３に示す紙幣処理部１１は側面図であって、右側が装置正面となっている。
【００５１】
接客部１は、入金取引時に操作者により紙幣投入口１１ａから接客口１９に投入された（入金された）紙幣を分離したり、出金取引時に操作者に出金する紙幣を集積したりするための構成である。
【００５２】
鑑別部２は、操作者の入金した紙幣、または操作者に出金する紙幣の鑑別を行う。具体的には、鑑別部２は、搬送路６を通って搬送された紙幣の金種、真偽、正損および走行状態などを鑑別する。
【００５３】
一時保留部３は、入金取引時に接客部１で分離されて鑑別部２により正常と鑑別された紙幣を一時的に集積する。一時保留部３に集積された紙幣は、鑑別部２を経て紙幣カセット４ａ〜４ｄなどに搬送され、入金した紙幣の口座計上などが確定し、取引が成立する。また、一時保留部３は、紙幣カセット４ａ〜４ｄ間の紙幣移動の際にも用いられる。
【００５４】
紙幣カセット４ａ〜４ｄは、操作者の入金した紙幣、出金するための紙幣、および他の紙幣カセット４から分離された紙幣などを集積する紙幣集積部である。紙幣カセット４ａ〜４ｄは、同一金種のための複数の紙幣カセットを含んでもよい。例えば、紙幣カセット４ａおよび４ｃが一万円札用の紙幣カセットであり、紙幣カセット４ｂおよび４ｄが千円札用の紙幣カセットであってもよい。なお、紙幣カセット４ａ〜４ｄは、紙幣処理部１１に対して着脱可能な構造になっており、個別に交換することで紙幣カセット４ａ〜４ｄに紙幣を装填することも可能である。
【００５５】
リジェクト庫５は、出金取引時または入金取引時に鑑別部２によって金種不明と鑑別された入金、支払不可の紙幣を集積する。
【００５６】
搬送路６ａ〜６ｎは、紙幣を搬送するための構成である。各搬送路６ａ〜６ｎは、制御部１７による制御に従ってＤＣサーボモータまたはパルスモータなどが回転することにより、紙幣を目的の搬送先に搬送することが可能である。
【００５７】
施封紙幣集積部７は、施封部８により施封される紙幣が集積される紙幣集積部である。施封紙幣集積部７は、施封する所定枚数（例えば１００枚）の紙幣を集積後、施封部８に紙幣を搬送する。
【００５８】
施封部８は、施封紙幣集積部７から搬送された所定枚数の紙幣をテープで結束（施封）し、結束した小束紙幣をシャッタ９から排出する。
【００５９】
シャッタ９は、施封部８により施封された小束紙幣を排出する小束出金口であって、施封部８により小束紙幣が排出される際に開き、操作者が小束紙幣を受け取ると閉じる。
【００６０】
上述した施封紙幣集積部７、施封部８、およびシャッタ９は、図３に示すように、紙幣処理部１１の上方、より具体的には、接客部１、鑑別部２、一時保留部３、紙幣カセット４ａ〜４ｄ、リジェクト庫５、および搬送路６ａ〜６ｍよりも上部に配置されている。このように、施封紙幣集積部７および施封部８を上部に設けることで、操作者は立ったまま小束を受け取ることができ、作業の利便性を向上させることができる。また、本実施形態では、図３に示すように、施封紙幣集積部７と施封部８を共に１つずつ設けることで、省スペース化を図ることができる。上記特許文献１（ＷＯ２００９−１１８８３９号公報）のように２つの施封紙幣集積部が設けられている場合、例えば一方に表紙幣、他方に裏紙幣を搬送して表裏を揃えることも可能であるが、本実施形態では省スペース化を実現するために施封紙幣集積部が１つであっても施封紙幣の表裏を揃えることができる。
【００６１】
なお図３には図示しないが、搬送路６ａ〜６ｎが搬送する紙幣や、各分離部（具体的には、接客部１、一時保留部３、紙幣カセット４ａ〜４ｄ、リジェクト庫５）から分離される紙幣の通過、到達は、搬送路６上や各分離部に設けられている光学センサの検知結果に基づいて制御部１７により判断される。また、目的の搬送先に搬送するために搬送路の分岐にはブレードが実装され、制御部１７は当該ブレードを切り替えることで紙幣を所定の搬送先へ搬送させる。
【００６２】
また、本実施形態による紙幣処理部１１は、紙幣の表裏を反転させるためだけの従来の表裏反転機構を有さないことで、装置サイズを小さくすることができる。
【００６３】
（基本動作）
入金取引においては、まず、接客部１から紙幣が１枚ずつ分離され、分離された紙幣は搬送路６ａを経て鑑別部２に搬送される。そして、鑑別部２による鑑別結果が正常であった紙幣は搬送路６ｃおよび６ｄを経て一時保留部３に集積される。一方、鑑別部２による鑑別結果が異常であった紙幣は搬送路６ｃおよび６ｅを経て接客部１に集積される。その後、操作者により入金金額の確認操作が行われると、集積処理に移行する。
【００６４】
集積処理においては、まず、一時保留部３から紙幣が１枚ずつ分離され、分離された紙幣は搬送路６ｄおよび６ｃを経て鑑別部２に搬送される。そして、鑑別部２による鑑別結果が正常であった紙幣は、搬送路６ｂ、６ｆ〜６ｋを経て金種に対応する紙幣カセット４ａ〜４ｄに集積される。一方、汚損券、折れ紙幣、二千円札、スキュー紙幣などの走行異常紙幣のように、鑑別部２による鑑別結果が異常であった紙幣は、搬送路６ｇおよび６ｌを経てリジェクト庫５に集積される。
【００６５】
紙幣移動においては、まず、紙幣カセット４ａ〜４ｄのうちの移動元の紙幣カセットから紙幣が分離され、分離された紙幣は搬送路６ｆ〜６ｋ、６ｂを経て鑑別部２に搬送される。そして、鑑別部２による鑑別結果が正常であった紙幣は搬送路６ｃおよび６ｄを経て一時保留部３に搬送される。一方、鑑別部２による鑑別結果が異常であった紙幣は、搬送路６ｃおよび６ｍを経てリジェクト庫５に集積される。
【００６６】
その後、一時保留部３から紙幣カセット４ａ〜４ｄのうちの移動先の紙幣カセットに紙幣が搬送される。具体的には、一時保留部３から紙幣が１枚ずつ分離され、分離された紙幣は搬送路６ｄおよび６ｃを経て鑑別部２に搬送される。そして、鑑別部２による鑑別結果が正常であった紙幣は、搬送路６ｂ、６ｆ〜６ｋを経て移動先の紙幣カセットに集積される。一方、鑑別部２による鑑別結果が異常であった紙幣は、搬送路６ｇおよび６ｌを経てリジェクト庫５に集積される。
【００６７】
通常の出金取引においては、まず、操作者により指定された金額に応じて紙幣カセット４ａ〜４ｄから紙幣が１枚ずつ分離され、分離された紙幣は搬送路６ｆ〜６ｋおよび６ｂを経て鑑別部２に搬送される。
【００６８】
そして、鑑別部２による鑑別結果が正常であった紙幣は、搬送路６ｃおよび６ｅを経て接客部１に集積される。一方、鑑別部２による鑑別結果が異常であった紙幣、すなわち、操作者に支払いできない紙幣は、搬送路６ｃおよび６ｍを経てリジェクト庫５に集積される。
【００６９】
小束紙幣の出金取引においては、まず、操作者により指定された金種および束数（または枚数）に応じて紙幣カセット４ａ〜４ｄから紙幣が１枚ずつ分離され、分離された紙幣は搬送路６ｆ〜６ｋおよび６ｂを経て鑑別部２に搬送される。
【００７０】
そして、鑑別部２による鑑別結果が正常であり、かつ表裏が所定の状態である紙幣は、搬送路６ｃおよび６ｎを経て施封紙幣集積部７に集積される。施封紙幣集積部７に所定枚数の紙幣が集積されると、施封部８に搬送され、施封部８において紙幣の施封が行われ、シャッタ９から排出される。
【００７１】
整理施封取引においては、まず、接客部１から紙幣が１枚ずつ分離され、分離された紙幣は搬送路６ａを経て鑑別部２に搬送される。そして、鑑別部２による鑑別結果が正常であり、指定された金種であって、かつ表裏が所定の状態である紙幣は搬送路６ｃおよび６ｎを経て施封紙幣集積部７に集積される。施封紙幣集積部７に所定枚数の紙幣が集積されると、施封部８に搬送され、施封部８において紙幣の施封が行われ、シャッタ９から排出される。
【００７２】
（紙幣施封の課題）
しかし、上記の小束出金取引および整理施封取引では、施封時に紙幣の表裏が揃っていることが必要であるため、操作者が予め紙幣カセット４に表裏を揃えた紙幣を装填したり、表裏を揃えて接客部１に紙幣を投入したりしなければならず、手間がかかっていた。
【００７３】
そこで、上記事情を一着眼点にして本発明の実施形態による現金処理装置１０を創作するに至った。本発明の実施形態による現金処理装置１０は、特殊な表裏反転機構を備えずに自動的に紙幣の表裏を反転させて、小束施封用の紙幣の表裏を揃えることが可能である。以下、このような本発明の実施形態による各種取引について詳細に説明する。
【００７４】
＜３．各種取引＞
［３−１．小束出金取引］
本実施形態では、小束出金取引において接客部１を用いて紙幣の表裏反転を実現することにより操作者の手間を省く現金処理装置１０を提案する。
【００７５】
図４および図５は、本実施形態による小束出金取引の流れを示した説明図である。図４に示したように、まず、指定された施封金種の紙幣が集積されている紙幣カセット４ｄから紙幣が分離され、分離された紙幣が搬送路６ｋ、６ｇ、６ｆ、および６ｂを経て鑑別部２に搬送される。そして、制御部１７は、鑑別部２による鑑別結果が正常であって、また、施封金種であり、かつ表裏が裏の状態である紙幣を、図４に示すように搬送路６ｃおよび６ｎを経て施封紙幣集積部７へ搬送するよう制御する。なお、本実施形態では、搬送路６ｎから施封紙幣集積部７に集積する際に紙幣の表裏が逆になるため、鑑別部２により裏と鑑別された紙幣を施封紙幣集積部７に搬送することで、表紙幣（表の面が上になった紙幣）の施封を実現することができる。
【００７６】
一方、制御部１７は、鑑別部２による鑑別結果が異常であった紙幣（リジェクト紙幣）を、図４に示すように搬送路６ｃおよび６ｍを経てリジェクト庫５へ搬送するよう制御する。また、制御部１７は、施封金種であっても表裏が表の状態である紙幣を、図４に示すように搬送路６ｃおよび６ｅを経て接客部１へ搬送するよう制御する。
【００７７】
そして、制御部１７は、接客部１に搬送された紙幣を、図５に示すように接客部１から再度分離することで紙幣の表裏を反転させ、分離した紙幣を、搬送路６ａを経て鑑別部２へ再搬送するよう搬送路を制御する。上述したように、接客部１には、施封金種であるが表裏が表の状態である紙幣が搬送されているため、接客部１を介して反転され裏の状態となった紙幣が、鑑別部２に搬送される。制御部１７は、鑑別部２による再鑑別結果が正常である場合、図５に示すように搬送路６ｃおよび６ｎを経て当該紙幣を施封紙幣集積部７へ搬送する。なお制御部１７は、鑑別部２による再鑑別結果が異常である場合、図５に示すように搬送路６ｃおよび６ｍを経てリジェクト紙幣としてリジェクト庫５へ搬送する。
【００７８】
本実施形態による紙幣処理部１１は、上述した２つの処理（紙幣カセット４から鑑別部２への搬送、鑑別部２から施封紙幣集積部７または接客部１への搬送）を行うことにより、施封金種の表裏を自動的に反転させて施封紙幣集積部７に表揃えの紙幣を集積させることができる。
【００７９】
ここで、接客部１を利用した紙幣の表裏反転について図６を参照して説明する。図６では、紙幣３０において紙幣の表側を破線、裏側を実線で示している。本実施形態による小束出金取引では、まず、図６（ａ）に示したように鑑別部２で表側が上を向いている状態と鑑別された紙幣３０は、図６（ｂ）に示したように搬送路６ｃおよび６ｅを経て接客部１に搬送され、集積される。
【００８０】
次いで、図６（ｃ）に示したように接客部１から紙幣３０が分離され、搬送路６ａに送り込まれる。ここで、本実施形態による接客部１は、搬送路６ｅから搬送された紙幣を受け入れる受入口２２と、搬送路６ａに紙幣が繰り出される（分離される）繰出口２３とを有する。そして、受入口２２から受け入れた紙幣３０を繰出口２３から搬送する際に、受入口２２から受け入れた紙幣３０の後側から繰り出すことで、紙幣３０の表裏が反転する。
【００８１】
したがって、図６（ｄ）に示したように接客部１から分離され、搬送路６ａを経て鑑別部２に再度搬送された紙幣３０は、裏側が上を向いている状態と鑑別され、施封紙幣集積部７に搬送される。このように、本実施形態では、接客部１の繰出口２３において、受入口２２から受け入れられた際の紙幣３０の後側から当該紙幣３０が繰り出されることで、紙幣の表裏を反転させることができる。
【００８２】
（本実施形態による小束出金取引の動作フロー）
図７は、上述した本実施形態による小束出金取引の動作を示すフローチャートである。図７に示したように、まず、操作者が表示部１６に表示されたメニュー画面を操作して小束出金取引を選択し（Ｓ１００）、さらに出金金額（または出金金種および枚数）を入力する（Ｓ１０２）。
【００８３】
次いで、制御部１７は、入力情報に基づいて、出金する小束数およびバラ紙幣枚数を算出する（Ｓ１０４）。ここでは一例として１００枚単位で小束出金を行うため、制御部１７は、入力された出金枚数（または入力された出金金額から算出した出金枚数）に基づいて、以下の式に示すように、小束数およびバラ出金枚数を算出する。
【００８４】
（式１）
小束数＝出金枚数／100
バラ出金枚数＝出金枚数／100の余り
【００８５】
次に、制御部１７は、小束出金が有るか否かを判断し（Ｓ１０６）、有る場合（つまり小束数が１以上の場合）は１００枚単位で小束出金処理を行う（Ｓ１０８）。小束出金処理の詳細については図８〜図９を参照して後述する。
【００８６】
次いで、小束出金処理により施封紙幣集積部７に施封する所定の枚数、例えば１００枚の紙幣が集積されると、施封紙幣集積部７は集積された紙幣を施封部８に束搬送する（Ｓ１１０）。そして、施封部８により束紙幣に施封を行った後（Ｓ１１２）、施封部８から小束紙幣を押し出す（排出する）ことでシャッタ９を開き、小束受取位置まで小束紙幣を移動させる（Ｓ１１４）。制御部１７は、操作者が小束紙幣を受取ると、シャッタ９を閉じる。当該Ｓ１１２およびＳ１１４は、次のＳ１１６、Ｓ１０８と並行して処理され得る。
【００８７】
制御部１７は、施封部８へ束搬送した施封紙幣集積部７において次の紙幣の集積準備が完了した後、残りの小束出金が有るか否かを判断する（Ｓ１１６）。残りの小束出金が有る場合は上記Ｓ１０８に戻り、小束出金処理が行われる。
【００８８】
一方、残りの小束出金が無い場合、制御部１７は、接客部１からバラ出金を行う（Ｓ１１８）。具体的には、制御部１７は、バラ出金枚数に応じて出金金種の紙幣カセット４から紙幣を分離し、鑑別部２を介して接客部１へ搬送する。この際、鑑別部２による鑑別結果が異常である紙幣はリジェクト庫５へ搬送され、正常である紙幣を接客部１へ搬送される。
【００８９】
続いて、制御部１７は、印字部１４により、施封した通番および施封金額等の施封に関する情報およびバラ出金に関する情報を印字した明細票を排出させ（Ｓ１２０）、接客部１からの紙幣の受取を確認すると（Ｓ１２２）、出金取引を終了する。
【００９０】
以上、本実施形態による出金取引について説明した。次に、上記Ｓ１０８に示す小束出金処理について図８〜図９を参照して具体的に説明する。
【００９１】
図８〜図９は、小束出金処理の動作を示すフローチャートである。ここでは、一例として紙幣カセット４ｄが万券金庫であって、万券かつ正券の表紙幣１００枚の小束を出金する場合について説明する。図８に示したように、まず、制御部１７は、小束出金する金種（すなわち施封金種）が格納されている紙幣カセット４ｄから１枚ずつ１００枚の紙幣を分離する（Ｓ１３０、Ｓ１３２）。
【００９２】
次に、分離された紙幣は、紙幣カセット４ｄから搬送路６ｋ、６ｇ、６ｆ、および６ｂを経て鑑別部２に搬送される。鑑別部２では、紙幣の金種、真偽、正損、走行状態、および表裏状態が鑑別され、制御部１７は、鑑別結果に基づいて、万券かつ正券の裏紙幣（裏の面が上になった紙幣）の場合は（Ｓ１３６において「Ｙｅｓ」）、当該紙幣を搬送路６ｃおよび６ｎを経て施封紙幣集積部７へ搬送する（Ｓ１３８）。なお表紙幣の施封を行う際に裏紙幣を施封紙幣集積部７へ搬送するのは、搬送路６ｎから施封紙幣集積部７に集積する際に紙幣の表裏が逆になるためである。
【００９３】
一方、鑑別結果が万券かつ正券の表紙幣の場合（Ｓ１３６において「Ｎｏ」、Ｓ１４０において「Ｙｅｓ」）、制御部１７は、当該紙幣を搬送路６ｃおよび６ｅを経て接客部１へ搬送する（Ｓ１４２）。図６を参照して上述したように、紙幣の表裏を反転させるためである。
【００９４】
また、制御部１７は、鑑別結果が万券または正券以外の紙幣（例えば偽券、損券、走行異常等のリジェクト紙幣）の場合（Ｓ１４０において「Ｎｏ」）、当該紙幣を搬送路６ｃおよび６ｍを経てリジェクト庫５へ搬送する（Ｓ１４４）。この際、リジェクト庫５へ紙幣を搬送した分、施封紙幣が不足してしまうため、制御部１７は、紙幣カセット４ｄからの分離枚数を１枚増やす（Ｓ１４６）。
【００９５】
続いて、１００枚の施封紙幣（施封金種であって、万券かつ正券）を紙幣カセット４ｄから分離した後（Ｓ１４８において「Ｙｅｓ」）、制御部１７は、施封紙幣集積部７に１００枚の紙幣が搬送されたか否かを確認する（Ｓ１５０）。
【００９６】
施封紙幣集積部７に１００枚の紙幣が搬送された場合（Ｓ１５０において「Ｙｅｓ」）、小束出金処理は終了し、上述したように、施封紙幣集積部７から施封部８への束搬送（Ｓ１１０）と、束紙幣の施封（Ｓ１１２）、および排出（Ｓ１１４）が行われる。また、複数束の出金の場合には（Ｓ１１６において「Ｙｅｓ」）、次の小束出金処理が開始され、バラ出金がある場合は接客部１からのバラ出金が行われる（Ｓ１１８）。
【００９７】
一方、施封紙幣集積部７に搬送された紙幣が１００枚に足りない場合（Ｓ１５０において「Ｎｏ」）、接客部１から全ての紙幣を１枚ずつ分離する（図９に示すＳ１５２、Ｓ１５４）。接客部１には、紙幣カセット４ｄから分離され鑑別部２で万券かつ正券の表紙幣と鑑別された紙幣が集積されているため（Ｓ１４０、Ｓ１４２）、接客部１から分離することで、図６を参照して上述したように、紙幣の表裏が反転される。
【００９８】
次に、分離された紙幣は、接客部１から搬送路６ａを経て鑑別部２に搬送される。ここで、接客部１から分離された紙幣は、上述したように既に紙幣カセット４ｄからの分離において万券かつ正券の表紙幣と鑑別された紙幣であるため、紙幣を鑑別しないモードまたは簡易鑑別で走行状態および正損だけをチェックするモードといった、鑑別部２でリジェクトされた場合に発生する処理時間を削減するモードを採用することも可能である。いずれのモードを採用するかは操作者により予め選択されてもよいし、管理者により予め設定されていてもよい。
【００９９】
紙幣を鑑別しないモードの場合（Ｓ１５６において「Ｙｅｓ」）、接客部１から分離される紙幣は既に紙幣カセット４ｄからの分離において万券かつ正券の表紙幣と鑑別された紙幣であって、接客部１を介したことにより表裏が反転された裏紙幣であるため、制御部１７は、当該紙幣を搬送路６ｃおよび６ｎを経て施封紙幣集積部７へ搬送する（Ｓ１６８）。
【０１００】
一方、簡易鑑別モードの場合（Ｓ１５６において「Ｎｏ」、Ｓ１５８において「Ｙｅｓ」）、鑑別部２により、紙幣の走行状態および正損が鑑別される（Ｓ１６０）。走行状態が正常かつ正券である紙幣の場合（Ｓ１６０において「Ｙｅｓ」）、当該紙幣は搬送路６ｃおよび６ｎを経て施封紙幣集積部７へ搬送され（Ｓ１６８）、走行状態が異常または損券である紙幣の場合（Ｓ１６０において「Ｎｏ」）、当該紙幣は搬送路６ｃおよび６ｍを経てリジェクト庫５へ搬送される（Ｓ１６６）。
【０１０１】
また、通常の鑑別モードの場合（Ｓ１５６において「Ｎｏ」、Ｓ１５８において「Ｎｏ」）、鑑別部２により、紙幣の金種、真偽、正損、走行状態、および表裏状態が鑑別される（Ｓ１６２）。鑑別結果が万券かつ正券の裏紙幣の場合（Ｓ１６２において「Ｙｅｓ」）、当該紙幣を搬送路６ｃおよび６ｎを経て施封紙幣集積部７へ搬送され（Ｓ１６８）、鑑別結果が万券かつ正券の裏紙幣ではない場合（Ｓ１６２において「Ｎｏ」）、当該紙幣は搬送路６ｃおよび６ｍを経てリジェクト庫５へ搬送される（Ｓ１６６）。続いて、制御部１７は、接客部１から全ての紙幣を分離したか否かを確認する（Ｓ１６９）。
【０１０２】
次に、全ての紙幣の分離が終了すると（Ｓ１６９において「Ｙｅｓ」）、制御部１７は、施封紙幣集積部７に１００枚の紙幣が搬送されたか否かを確認する（Ｓ１７０）。
【０１０３】
施封紙幣集積部７に１００枚の紙幣が搬送された場合（Ｓ１７０において「Ｙｅｓ」）、小束出金処理は終了し、図７に示すＳ１１０以降の処理が行われる。
【０１０４】
一方、接客部１からの分離でリジェクトした場合には小束にする紙幣が不足するため、制御部１７は、施封紙幣集積部７に搬送された紙幣が１００枚に足りない場合（Ｓ１７０において「Ｎｏ」）、不足枚数を紙幣カセット４ｄから分離し（Ｓ１７２）、図８に示すＳ１３２以降の処理が繰り返される。なお不足枚数は下記式により求められる。
【０１０５】
（式２）
不足枚数＝１００−施封紙幣集積部７への搬送枚数
【０１０６】
不足枚数の算出後、制御部１７は、接客部１からの分離の際、装置の異常で計数動作を繰り返す可能性もあるため、一定の動作時間（Ｓ１７４）、または接客部１から繰り出し回数が一定の回数（Ｓ１７６）に達したか否かを判断し、達した場合（Ｓ１７４において「Ｙｅｓ」、またはＳ１７６において「Ｙｅｓ」）、エラーとして計数を停止するよう制御する。これにより、計数動作を繰り返さない様にすることができる。つまり、不足枚数の算出後、紙幣カセット４から不足枚数分の紙幣が鑑別部２に搬送される（図８のＳ１３２からＳ１３６）。その際に表紙幣であると鑑別された紙幣は接客部１に搬送される（図８のＳ１４０）。接客部１から施封紙幣集積部７に紙幣を搬送する際に、接客部１から搬送された紙幣がリジェクト庫５に搬送された場合（図９のＳ１６６）、再度不足枚数の算出を行う（図９のＳ１７２）。そして、再度不足枚数分の紙幣を紙幣カセット４から搬送する。このような動作が何回も繰り返されないように、上述の一定の動作時間（Ｓ１７４）、または一定の回数（Ｓ１７６）に達したか否かを判断して、達している場合はエラーにする。また、接客部１からの紙幣の分離が終了してからエラー判断を行うことで、接客部１には残留紙幣が無いため、エラー発生時に操作者は施封紙幣集積部７から残留紙幣を取り除くだけでよい。また、図９には図示しないが、誤って１０１枚以上の紙幣を搬送路６ｎに搬送してしまった場合にもエラーとして計数を停止する。
【０１０７】
以上説明したように、本実施形態によれば、小束出金取引において、紙幣カセット４から分離された紙幣が表紙幣であると鑑別された場合に接客部１を介して施封紙幣集積部７へ搬送することで、表裏を反転させることができる。
【０１０８】
［３−２．入金取引］
上述した小束出金取引では、表と鑑別された紙幣を接客部１へ搬送して反転させているが、紙幣の反転を予め入金取引時に行い、表裏を揃えた状態で紙幣カセット４に収納することで、小束出金取引時における接客部１への搬送時間を削減することが可能となる。以下、このような入金取引について図１０〜図１７を参照して説明する。
【０１０９】
図１０〜図１４は、本実施形態による入金取引の流れを説明する図である。図１０に示したように、まず、接客部１に入金された紙幣が分離され、搬送路６ａを経て鑑別部２に搬送される。そして、制御部１７は、鑑別部２による鑑別結果が正常である紙幣を、図１０に示すように搬送路６ｃおよび６ｄを経て一時保留部３へ搬送するよう制御する。一方、制御部１７は、鑑別部２による鑑別部２による鑑別結果が異常である紙幣を、図１０に示すように搬送路６ｃおよび６ｅを経て接客部１へ搬送するよう制御する。
【０１１０】
そして、制御部１７は、一時保留部３に搬送された紙幣を、図１１に示したように一時保留部３から分離し、鑑別部２へ搬送し、鑑別結果に応じて紙幣カセット４ａ〜４ｄへ収納する。具体的には、裏紙幣と鑑別された紙幣は、金種に応じて紙幣カセット４ｂ〜４ｄへ搬送され、表紙幣と鑑別された紙幣は、全て紙幣カセット４ａ（リサイクルカセット）へ搬送される。なお異常が鑑別された紙幣（リジェクト紙幣）は、搬送路６ｂ、６ｆ、６ｇ、および６ｌを経てリジェクト庫５へ搬送される。
【０１１１】
次いで、制御部１７は、図１２に示したように、紙幣カセット４ａから紙幣を分離し、搬送路６ｈ、６ｆ、および６ｂを経て鑑別部２へ搬送する。紙幣カセット４ａには、上述したように鑑別部２で表紙幣と鑑別された紙幣が金種に関わらず集積されている。
【０１１２】
制御部１７は、鑑別部２による鑑別結果に従って、正常紙幣は搬送路６ｃおよび６ｅを経て接客部１へ搬送し、異常紙幣は搬送路６ｃおよび６ｍを経てリジェクト庫５へ搬送する。
【０１１３】
次に、制御部１７は、図１３に示したように、接客部１から紙幣を分離し、搬送路６ａを経て鑑別部２へ搬送する。接客部１を介することで、図６を参照して上述したように紙幣の表裏を反転するため、接客部１から分離した紙幣は鑑別部２で裏紙幣と鑑別され、搬送路６ｃおよび６ｄを経て一時保留部３へ搬送される。なお異常と鑑別された紙幣は、搬送路６ｃおよび６ｍを経てリジェクト庫５へ搬送される。
【０１１４】
そして、制御部１７は、図１４に示したように、一時保留部３から紙幣を分離し、裏紙幣を金種に応じて紙幣カセット４ｂ〜４ｄへ搬送する。なお異常と鑑別された紙幣は、搬送路６ｂ、６ｆ、６ｇ、および６ｌを経てリジェクト庫５へ搬送される。
【０１１５】
本実施形態による紙幣処理部１１は、上述した２つの処理（入金紙幣が集積された一時保留部３から紙幣カセット４ａ〜４ｄへの搬送と、紙幣カセット４ａから接客部１を介して表裏を反転させた紙幣の紙幣カセット４ｂ〜４ｄへの搬送）を行うことにより、紙幣を裏状態に揃えて金種別に紙幣カセット４ｂ〜６ｄへ集積させることができる。これにより、上述した小束出金取引において表裏反転を行う必要がなく、表裏反転のための接客部１への搬送処理時間を削減することができる。
【０１１６】
（本実施形態による入金取引の動作フロー）
図１５〜図１７は、上述した本実施形態による入金取引の動作を示すフローチャートである。ここでは一例として紙幣カセット４ａを空きカセット（リサイクルカセット）、紙幣カセット４ｂを万券カセット、紙幣カセット４ｃを五千券カセット、紙幣カセット４ｄを千券カセットの場合における入金取引動作を説明する。また、図１５に示す動作は、操作者が接客部１に紙幣を入金し、接客部１から分離された紙幣が搬送路６ａを経て鑑別部２へ搬送され、正常紙幣が一時保留部３へ搬送された後における動作である。
【０１１７】
図１５に示したように、まず、制御部１７は、一時保留部３から全ての紙幣（Ｓ２００）を１枚ずつ分離し（Ｓ２０２）、搬送路６ｄおよび６ｃを経て、鑑別部２へ紙幣を搬送する。
【０１１８】
損券の支払を行わない場合（Ｓ２０４において「Ｎｏ」）、制御部１７は、鑑別結果が損券の紙幣を、搬送路６ｂ、６ｆ、６ｇ、および６ｌを経てリジェクト庫５へ搬送する（Ｓ２０６において「Ｙｅｓ」、Ｓ２２４）。
【０１１９】
一方、損券の支払も行う場合（Ｓ２０４において「Ｙｅｓ」）、制御部１７は、鑑別結果の金種および表裏状態に応じて、紙幣カセット４ａ〜４ｄへ夫々搬送する。具体的には、鑑別結果が万券かつ裏紙幣の場合（Ｓ２０８において「Ｙｅｓ」）、制御部１７は、当該紙幣を搬送路６ｆ、６ｇ、および６ｉを経て紙幣カセット４ｂへ搬送する（Ｓ２１０）。
【０１２０】
また、鑑別結果が五千券かつ裏紙幣の場合（Ｓ２１２において「Ｙｅｓ」）、制御部１７は、当該紙幣を搬送路６ｆ、６ｇ、および６ｊを経て紙幣カセット４ｃへ搬送する（Ｓ２１４）。
【０１２１】
また、鑑別結果が千券かつ裏紙幣の場合（Ｓ２１６において「Ｙｅｓ」）、制御部１７は、当該紙幣を搬送路６ｆ、６ｇ、および６ｋを経て紙幣カセット４ｄへ搬送する（Ｓ２１８）。
【０１２２】
また、鑑別結果が万券、五千券、または千券の表紙幣の場合（Ｓ２２０において「Ｙｅｓ」）、制御部１７は、当該紙幣を搬送路６ｆおよび６ｈを経て紙幣カセット４ａへ搬送する（Ｓ２２２）。
【０１２３】
なお、鑑別結果が万券、五千券、または千券以外の紙幣の場合、若しくは走行異常等の場合（Ｓ２２０において「Ｎｏ」）、制御部１７は、当該紙幣を搬送路６ｂ、６ｆ、６ｇ、および６ｌを経てリジェクト庫５へ搬送する（Ｓ２２４）。
【０１２４】
上記Ｓ２０２〜Ｓ２２４の処理は、一時保留部３が空になるまで繰り返される（Ｓ２２６）。
【０１２５】
次に、一時保留部３が空になり（Ｓ２２６において「Ｙｅｓ」）、表裏反転のタイミングとなった場合（図１６に示すＳ２３０）、制御部１７は、紙幣カセット４ａ（リサイクルカセット）から接客部１の最大集積可能枚数（例えば２００枚）を分離する（Ｓ２３２）。表裏反転のタイミングとは、装置状態がアイドル状態になった場合、または、一定時間装置が使用されない場合の様に、取引に影響しないタイミングを想定する。これにより、例えば連続した入金取引を中断することなく続けて行うことができる。また、表示部１６に表裏反転メニューを追加し、装置状態がアイドル状態の場合にオペレータが表裏反転メニューを選択したことを表裏反転タイミングとしてもよい。本実施形態では、紙幣カセット４ａに集積されている表紙幣（鑑別部２において表側が上を向いていると鑑別された紙幣）を、接客部１を介して搬送することで表裏を反転させ、鑑別部２において裏側が上を向いていると鑑別された裏紙幣を金種別に紙幣カセット４ｂ〜４ｄへ収納する。
【０１２６】
次いで、制御部１７は、紙幣カセット４ａから１枚ずつ紙幣を分離し（Ｓ２３４）、搬送路６ｈ、６ｆ、および６ｂを経て鑑別部２へ搬送する。
【０１２７】
次に、リジェクト紙幣の発生を減らしたい場合には、既に金種が判明した上で紙幣カセット４ａに搬送された紙幣であるため、制御部１７は、リジェクトを行わずに接客部１へ搬送することも可能である（Ｓ２３６において「Ｙｅｓ」、Ｓ２４２）。
【０１２８】
一方、リジェクト紙幣は接客部１へ搬送しないようにする場合（Ｓ２３６において「Ｎｏ」）、制御部１７は、鑑別部２で走行状態が悪い紙幣は（Ｓ２３８において「Ｙｅｓ」）、搬送路６ｃおよび６ｍを経てリジェクト庫５へ搬送する（Ｓ２４０）。
【０１２９】
また、制御部１７は、鑑別部２で走行状態に異常がない紙幣を、搬送路６ｃおよび６ｅを経て接客部１へ搬送する（Ｓ２３８において「Ｎｏ」、Ｓ２４２）。
【０１３０】
次いで、接客部１における最大集積枚数の紙幣の搬送が終了した場合、または、紙幣カセット４ａが空になった場合（Ｓ２４４において「Ｙｅｓ」）、制御部１７は、接客部１から全ての紙幣を分離して一時保留部３へ搬送する計数を開始する（Ｓ２４６）。
【０１３１】
具体的には、まず、制御部１７は、接客部１から紙幣を１枚ずつ分離し（Ｓ２４８）、搬送路６ａを経て鑑別部２へ搬送する。この際、接客部１から分離される紙幣は、図６を参照して上述したように、接客部１の受入口が紙幣３０を受け入れた際の紙幣の後側から、上記受入口とは別に設けられた繰出口から繰り出すことで、表裏が反転する。
【０１３２】
次に、リジェクト紙幣の発生を減らしたい場合には、既に金種が判明した上で紙幣カセット４ａに搬送された紙幣であるため、制御部１７は、リジェクトを行わずに一時保留部３へ搬送することも可能である（Ｓ２５０において「Ｙｅｓ」、Ｓ２５６）。
【０１３３】
一方、リジェクト紙幣は一時保留部３へ搬送しないようにする場合（Ｓ２５０において「Ｎｏ」）、制御部１７は、鑑別部２で走行状態が悪い紙幣は（Ｓ２５２において「Ｙｅｓ」）、搬送路６ｃおよび６ｍを経てリジェクト庫５へ搬送する（Ｓ２５４）。
【０１３４】
また、制御部１７は、鑑別部２で走行状態に異常がない紙幣を、搬送路６ｃおよび６ｄを経て一時保留部３へ搬送する（Ｓ２５２において「Ｎｏ」、Ｓ２５６）。
【０１３５】
続いて、接客部１から全ての紙幣の分離が終了した場合（Ｓ２５８において「Ｙｅｓ」）、制御部１７は、一時保留部３から全ての紙幣を分離して紙幣カセット４ｂ〜４ｄへの収納を開始する（図１７に示すＳ２６０）。
【０１３６】
具体的には、まず、制御部１７は、一時保留部３から１枚ずつ紙幣を分離し（Ｓ２６２）、搬送路６ｄおよび６ｃを経て鑑別部２へ搬送する。
【０１３７】
損券の支払を行わない場合（Ｓ２６４において「Ｎｏ」）、制御部１７は、鑑別結果が損券の紙幣を、搬送路６ｂ、６ｆ、６ｇ、および６ｌを経てリジェクト庫５へ搬送する（Ｓ２６６において「Ｙｅｓ」、Ｓ２８０）。
【０１３８】
一方、損券の支払も行う場合は損券か否かに関わらず（Ｓ２６４において「Ｙｅｓ」）、また、損券の支払を行わない場合は損券ではない紙幣を（Ｓ２６６において「Ｙｅｓ」）、制御部１７は、鑑別結果の金種および表裏状態に応じて、紙幣カセット４ｂ〜４ｄへ夫々搬送する。なお、上述したように、接客部１を介した搬送により紙幣の表裏が反転されているため、表紙幣が集積された紙幣カセット４ａから分離された紙幣は接客部１を介して裏紙幣の状態となっている。
【０１３９】
より具体的には、鑑別結果が万券かつ裏紙幣の場合（Ｓ２６８において「Ｙｅｓ」）、制御部１７は、当該紙幣を搬送路６ｆ、６ｇ、および６ｉを経て紙幣カセット４ｂへ搬送する（Ｓ２７０）。
【０１４０】
また、鑑別結果が五千券かつ裏紙幣の場合（Ｓ２７２において「Ｙｅｓ」）、制御部１７は、当該紙幣を搬送路６ｆ、６ｇ、および６ｊを経て紙幣カセット４ｃへ搬送する（Ｓ２７４）。
【０１４１】
また、鑑別結果が千券かつ裏紙幣の場合（Ｓ２７６において「Ｙｅｓ」）、制御部１７は、当該紙幣を搬送路６ｆ、６ｇ、および６ｋを経て紙幣カセット４ｄへ搬送する（Ｓ２７８）。
【０１４２】
なお、鑑別結果が万券、五千券、または千券以外の紙幣の場合、若しくは走行異常等の場合（Ｓ２７６において「Ｎｏ」）、制御部１７は、当該紙幣を搬送路６ｂ、６ｆ、６ｇ、および６ｌを経てリジェクト庫５へ搬送する（Ｓ２８０）。
【０１４３】
上記Ｓ２６２〜Ｓ２８０の処理は、一時保留部３が空になるまで繰り返される（Ｓ２８２）。
【０１４４】
次いで、紙幣カセット４ａが空になるまで（Ｓ２８４において「Ｙｅｓ」）、または、取引等で処理が中断されるまで（Ｓ２８６において「Ｙｅｓ」）、上記Ｓ２３２以降の動作を繰り返す。
【０１４５】
以上説明したように、本実施形態では、入金取引において、裏紙幣と鑑別された紙幣を金種別に紙幣カセット４ｂ〜４ｄへ収納し、表紙幣と鑑別された紙幣は空きカセットである紙幣カセット４ａへ収納し、装置状態がアイドル状態の場合等に紙幣カセット４ａから紙幣を分離して接客部１を介して搬送することで表裏を反転させ、金種別に紙幣カセット４ｂ〜４ｄへ収納する。これにより、予め表紙幣の反転処理を行って、裏紙幣と鑑別された紙幣を金種別に紙幣カセット４ｂ〜４ｄへ収納できるので、小束出金取引時に、表紙幣と鑑別された紙幣を接客部１へ搬送して反転する処理時間を削減することができる。
【０１４６】
（本実施形態の変形例）
なお、上述した入金取引では、複数の金種（例えば万券、五千券、千券）に対して反転計数を実施しているため時間がかかっていた。
【０１４７】
そこで、早く施封したい金種だけを予め裏紙幣と表紙幣に分けて紙幣カセット４に収納することで、特定の施封金種の小束出金を早くすることが可能となる。
【０１４８】
例えば、入金取引において、制御部１７は、鑑別結果が万券かつ表紙幣を紙幣カセット４ａへ搬送し、万券かつ裏紙幣（施封時には表紙幣となる）を紙幣カセット４ｂへ搬送し、五千券を紙幣カセット４ｃへ搬送し、千券を紙幣カセット４ｄへ搬送する。紙幣カセット４ｃ、４ｄには、五千券および千券が、それぞれ表裏が混在した状態で収納される。
【０１４９】
そして、小束出金取引において、制御部１７は、紙幣カセット４ｂに収納されている裏紙幣を優先して施封紙幣集積部７へ搬送し、紙幣カセット４ｂが空になった場合には、不足分の紙幣を紙幣カセット４ａから分離して接客部１を介して反転させ、施封紙幣集積部７へ搬送する。
【０１５０】
このように、入金取引時において、施封金種の裏紙幣のみを紙幣カセット４ｂへ搬送し、表紙幣を紙幣カセット４ａに搬送することで、入金取引時の反転計数処理時間を削減することができる。また、小束出金取引時において、施封金種の裏紙幣のみ収納されている紙幣カセット４ｂから紙幣を分離することで、小束出金取引時の反転計数処理時間を削減することができる。
【０１５１】
さらに、上記小束出金取引では、紙幣カセット４ｂが空になった場合に不足分の紙幣を紙幣カセット４ａから分離しているが、ここで制御部１７は、紙幣カセット４ａから接客部１の最大集積可能枚数（例えば２００枚）を分離してもよい。この場合、制御部１７は、不足分の紙幣は接客部１を介して施封紙幣集積部７へ搬送し、残りの紙幣を一時保留部３へ搬送した後、一時保留部３から紙幣カセット４ｂへ収納する。このように、不足分の紙幣を反転する際に可能な限り多くの枚数の表紙幣の反転を行い、紙幣カセット４ｂへ収納しておくことで、次の束出金における反転計数処理時間を削減することができる。
【０１５２】
また、施封金種の表紙幣と裏紙幣を予め別々の紙幣カセット４ａ、４ｂに分けずとも、図７を参照して説明した小束出金取引時において、より多くの表紙幣の反転計数を行っておくことで、次の束出金における反転計数処理時間を削減することができる。具体的には、制御部１７は、例えば紙幣カセット４ｄから施封金種の紙幣を分離し、鑑別結果が裏紙幣の場合は施封紙幣集積部７へ搬送し、鑑別結果が表紙幣の場合は表裏を反転させるため接客部１へ搬送し、このような紙幣カセット４ｄからの紙幣の分離を、施封紙幣集積部７に１００枚、または接客部１に最大集積可能枚数（例えば２００枚）搬送するまで行う。
【０１５３】
次いで、紙幣カセット４ｄが空になった場合、または接客部１に２００枚搬送した後、制御部１７は、接客部１から紙幣を分離して表裏が反転された紙幣を一時保留部３へ搬送し、一時保留部３から紙幣カセット４ｄへ収納する。そして、紙幣カセット４ｄから不足分の紙幣を分離して施封紙幣集積部７へ搬送し、残りの紙幣カセット４ｄに収納された裏紙幣は次の束出金の際に利用され得る。これにより、次の束出金における反転計数処理時間を削減することができる。
【０１５４】
［３−３．整理施封取引］
上述した実施形態では、紙幣カセット４から分離した紙幣を１００枚単位で束出金する束出金取引における表裏反転について説明したが、本実施形態は束出金取引に限定されず、接客部１から分離した紙幣を１００枚単位で束出金する整理施封取引においても同様に接客部１を介して紙幣の表裏反転を行うことが可能である。このような本実施形態による整理施封取引について以下図１８〜図２１を参照して説明する。
【０１５５】
図１８および図１９は、本実施形態による整理施封取引の流れを示した説明図である。図１８に示したように、まず、接客部１から紙幣が分離され、分離された紙幣が搬送路６ａを経て鑑別部２に搬送される。そして、制御部１７は、鑑別部２による鑑別結果が正常であって、また、施封金種であり、かつ表裏が裏の状態である紙幣を、搬送路６ｃおよび６ｎを経て施封紙幣集積部７へ搬送するよう制御する。なお、本実施形態では、搬送路６ｎから施封紙幣集積部７に集積する際に紙幣の表裏が逆になるため、鑑別部２により裏と鑑別された紙幣を施封紙幣集積部７に搬送することで、表紙幣の施封を実現することができる。
【０１５６】
一方、制御部１７は、鑑別部２による鑑別結果が異常であった紙幣や、施封金種以外の紙幣を、搬送路６ｃおよび６ｄを経て一時保留部３へ搬送するよう制御する。また、制御部１７は、施封金種であっても表裏が表の状態である紙幣を、搬送路６ｃおよび６ｅを経て接客部１へ搬送するよう制御する。
【０１５７】
そして、制御部１７は、接客部１に搬送された紙幣を、接客部１から再度分離することで紙幣の表裏を反転させ、分離した紙幣を、搬送路６ａを経て鑑別部２に再搬送するよう制御する。なお接客部１を利用した紙幣の表裏反転については、図６を参照して説明した通りであるため、ここでの詳細な説明は省略する。
【０１５８】
また、制御部１７は、接客部１が空になると、図１９に示したように、一時保留部３に集積した紙幣を搬送路６ｄおよび６ｅを経て接客部１へ搬送し、異常紙幣や施封金種以外の紙幣を操作者に返却する。
【０１５９】
本実施形態による紙幣処理部１１は、上述した２つの処理（接客部１から鑑別部２への搬送、鑑別部２から施封紙幣集積部７、接客部１、または一時保留部３への搬送）を繰り返すことにより、施封金種の表裏を自動的に反転させて施封紙幣集積部７に表揃えの紙幣を集積させることができる。
【０１６０】
（本実施形態による整理施封の動作フロー）
図２０および図２１は、上述した本実施形態による整理施封取引の動作を示すフローチャートである。図２０に示したように、まず、操作者が表示部１６に表示されたメニュー画面を操作して整理施封取引を選択し（Ｓ３００）、さらに施封券種（正券、損券、指定券）および施封金種を入力して（Ｓ３０２）、紙幣を接客部１に投入する（Ｓ３０４）。
【０１６１】
次に、制御部１７は、接客部１から紙幣を分離して整理施封計数処理を行う（Ｓ３０６）。具体的には、制御部１７は、接客部１から分離した紙幣を鑑別部２へ搬送し、鑑別結果が施封券種（指定された金種と正損種別が一致）の裏紙幣であれば施封紙幣集積部７へ搬送し、施封券種以外の紙幣またはリジェクト紙幣であれば一時保留部３へ搬送し、施封券種の表紙幣であれば接客部１へ搬送する。そして、接客部１から紙幣を繰り出すことで紙幣の表裏を反転させ、鑑別部２へ再度搬送する。
【０１６２】
ここで、一時保留部３に搬送する紙幣は、施封できない紙幣であるため、後に操作者に返却する必要がある。したがって、接客部１の最大集積可能枚数（例えば２００枚）を一時保留部３のフルとする。若しくは、接客部１への返却が複数回可能なシステムの場合、一時保留部３の最大集積容量をフルとしてもよい。この際、施封できなかった紙幣の返却計数において（後述するＳ３１８、Ｓ３２０、Ｓ３４０、Ｓ３４２）、接客部１の容量分の返却を行い、接客部１の紙幣が操作者に受け取られた後、再度一時保留部３からの返却計数を行い、一時保留部３が空になるまで返却および受取を繰り返す。
【０１６３】
次いで、施封紙幣集積部７に、施封する所定の枚数、例えば１００枚の紙幣が集積された場合（Ｓ３０８において「Ｙｅｓ」）、制御部１７は、施封紙幣集積部７から施封部８に束搬送を行い、施封部８により束紙幣に施封を行った後、施封部８から小束紙幣を押し出す（排出する）ことでシャッタ９を開き、小束受取位置まで小束紙幣を移動させる（Ｓ３１０）。制御部１７は、操作者が小束紙幣を受取ると、シャッタ９を閉じる。
【０１６４】
次に、施封紙幣集積部７から施封部８に束搬送が行われ、施封紙幣集積部７において次の紙幣の集積準備が完了した後、接客部１に残留紙幣がある場合（Ｓ３１２において「Ｙｅｓ」）、上記Ｓ３０６に戻り、整理施封を継続する。なお、処理時間短縮のため、施封紙幣集積部７から施封部８に束搬送が行われて施封紙幣集積部７の集積準備が完了した時点で整理施封計数を開始してもよい。
【０１６５】
一方、接客部１に残留紙幣はないが（Ｓ３１２において「Ｎｏ」）、操作者による再投入がある場合（Ｓ３１４において「Ｙｅｓ」）、上記Ｓ３０４に戻り、操作者により接客部１に紙幣が投入され、整理施封を継続する。
【０１６６】
また、施封紙幣集積部７に１００枚集積せずに（Ｓ３０８において「Ｎｏ」）、接客部１に残留紙幣が無くなった場合（接客エンドが検出された場合）（図２１に示す３３０／Ｙｅｓ）も、制御部１７は、紙幣の再投入の確認を行う（Ｓ３１４）。
【０１６７】
また、接客部１に紙幣はあるが（Ｓ３３０において「Ｎｏ」）、接客部１から紙幣が分離できない（ジャム等の障害発生、分離不良等が発生した）場合（Ｓ３３２において「Ｙｅｓ」）、制御部１７は、操作者に紙幣状態を確認してもらうために接客部１の紙幣の受取を促し（Ｓ３４２）、紙幣の再投入の確認を行う（Ｓ３１４）。
【０１６８】
また、一時保留部３がフルになった場合（Ｓ３３４において「Ｙｅｓ」）、制御部１７は接客部１の残留紙幣の有無を確認する（Ｓ３３６）。残留紙幣が有る場合（Ｓ３３６において「Ｙｅｓ」）、制御部１７は、操作者に残留紙幣の抜き取りを促す（Ｓ３３８）。具体的には、例えば表示部１６に接客部１からの残留紙幣抜き取りを通知する。
【０１６９】
接客部１に残留紙幣がない場合（Ｓ３３６において「Ｎｏ」）、または残留紙幣が抜き取られると（Ｓ３３８）、制御部１７は、一時保留部３から接客部１へ、施封できなかった紙幣の返却計数を行う（Ｓ３４０）。具体的には、制御部１７は、一時保留部３から全ての紙幣を分離し、搬送路６ｄおよび６ｅを経て接客部１へ搬送する。この際、制御部１７は、一時保留部３から分離した紙幣の枚数と接客部１へ集積した紙幣の枚数を整合して全ての紙幣が接客部１へ正常に搬送されたかを確認する。
【０１７０】
次に、制御部１７は、施封できなかった紙幣を接客部１から受け取るよう操作者に促す（Ｓ３４２）。
【０１７１】
続いて、紙幣の再投入が無い場合（図２０に示すＳ３１４において「Ｎｏ」）、制御部１７は一時保留部３の紙幣の有無を確認し（Ｓ３１６）、紙幣が有る場合は、接客部１への返却計数を行い（Ｓ３１８）、接客部１からの紙幣受取を操作者に促す（Ｓ３２０）。
【０１７２】
次いで、施封紙幣集積部７の残留紙幣の有無を確認し（Ｓ３２２）、残留紙幣が有る場合（Ｓ３２２において「Ｙｅｓ」）、制御部１７は、操作者に端数紙幣を抜き取らせる（Ｓ３２４）。具体的には、例えば表示部１６に施封紙幣集積部７からの端数紙幣抜き取りを通知する。
【０１７３】
施封紙幣集積部７に残留紙幣が無い場合（Ｓ３２２において「Ｎｏ」）、または端数紙幣が抜き取られると、制御部１７は、印字部１４により、施封した通番および施封金額等の施封に関する情報を印字した明細票を排出させ（Ｓ３２６）、整理施封処理を終了する。
【０１７４】
以上説明したように、本実施形態によれば、整理施封取引において、接客部１から分離された紙幣が表紙幣であると鑑別された場合に接客部１を介して施封紙幣集積部７へ搬送することで、表裏を反転させることができる。
【０１７５】
＜４．変形例＞
上述した実施形態では、図３に示す構造を有する紙幣処理部１１において、図６を参照して説明したように接客部１を介して紙幣を搬送することで紙幣の表裏を反転させているが、本発明はこれに限定されず、例えば三叉路セレクタを用いて紙幣の表裏を反転することが可能である。
【０１７６】
図２２は、本実施形態の変形例による紙幣処理部２１の内部構成を示した説明図である。図２２に示す紙幣処理部２１の構成は、図３に示す紙幣処理部１１の構成と比較して、搬送路６ｄおよび６ｎの分岐に三叉路セレクタ２０が追加されている点が異なり、他の構成は同様である。
【０１７７】
三叉路セレクタ２０が追加されることで、紙幣処理部２１は、搬送路６ｃから搬送路６ｎ（施封紙幣集積部７へ向かう第１の搬送路）に紙幣を送り込む他、搬送路６ｃから搬送路６ｄ（一時保留部３（紙幣折返部）に向かう第２の搬送路）に送り込んで一時保留部３（紙幣折返部）で進路を折り返した紙幣を搬送路６ｄ（第２の搬送路）から搬送路６ｎ（第１の搬送路）へ送り込むことが可能となる。
【０１７８】
以上説明した構成を有する紙幣処理部２１における小束出金取引の流れについて図２３および図２４を参照して説明する。
【０１７９】
図２３および図２４は、本実施形態の変形例による小束出金取引の流れを示した説明図である。図２３に示したように、まず、指定された施封金種の紙幣が集積されている紙幣カセット４ｄから分離され、分離された紙幣が搬送路６ｋ、６ｇ、６ｆ、および６ｂを経て鑑別部２へ搬送される。そして、制御部１７は、鑑別部２による鑑別結果が正常であって、また、施封金種であり、かつ表裏が裏の状態である紙幣を、図２３に示すように搬送路６ｃおよび６ｎを経て施封紙幣集積部７へ搬送するよう制御する。なお、本実施形態では、搬送路６ｎから施封紙幣集積部７に集積する際に紙幣の表裏が逆になるため、鑑別部２により裏と鑑別された紙幣を施封紙幣集積部７へ搬送することで、表紙幣の施封を実現することができる。
【０１８０】
一方、制御部１７は、鑑別部２による鑑別結果が異常であった紙幣（リジェクト紙幣）を、図２３に示すように搬送路６ｃおよび６ｍを経てリジェクト庫５へ搬送するよう制御する。また、制御部１７は、施封金種であっても表裏が表の状態である紙幣は、図２３に示すように搬送路６ｃおよび６ｄを経て一時保留部３へ搬送するよう制御する。
【０１８１】
そして、制御部１７は、一時保留部３へ搬送された紙幣を、図２４に示したように一時保留部３から分離して搬送路６ｎへ送り込むことで紙幣の表裏を反転させ、分離した紙幣を、施封紙幣集積部７へ搬送するよう搬送路を制御する。上述したように、一時保留部３には、施封金種であるが表裏が表の状態である紙幣が搬送されているため、折返部として機能する一時保留部３で進路を折り返した紙幣を一時保留部３から搬送路６ｎへ送り込むことで、紙幣の表側が上を向いた状態で施封紙幣集積部７へ集積することができる。
【０１８２】
本実施形態の変形例による紙幣処理部２１は、上述した３つの処理（接客部１から鑑別部２への搬送、鑑別部２から施封紙幣集積部７または一時保留部３への搬送、一時保留部３から施封紙幣集積部７への搬送）を行うことにより、施封金種の表裏を自動的に反転させて施封紙幣集積部７に表揃えの紙幣を集積させることができる。
【０１８３】
（本実施形態による小束出金取引の動作フロー）
続いて、本実施形態の変形例による紙幣処理部２１における小束出金取引の動作フローについて説明する。小束出金取引の基本的な動作フローは、図７に示す通りであって、本変形例では、図７のステップＳ１０８に示す小束出金処理が異なる。以下、図２５および図２６を参照して具体的に説明する。
【０１８４】
図２５および図２６は、本変形例による小束出金処理の動作を示すフローチャートである。ここでは、一例として紙幣カセット４ｄが万券金庫であって、万券かつ正券の表紙幣１００枚の小束を出金する場合について説明する。
【０１８５】
図２５に示したように、まず、制御部１７は、小束出金する金種（すなわち施封金種）が格納されている紙幣カセット４ｄから１枚ずつ１００枚の紙幣を分離する（Ｓ４００、Ｓ４０２）。
【０１８６】
次に、分離された紙幣は、紙幣カセット４ｄから搬送路６ｋ、６ｇ、６ｆ、および６ｂを経て鑑別部２へ搬送される。鑑別部２では、紙幣の金種、真偽、正損、走行状態、および表裏状態が鑑別され、制御部１７は、鑑別結果に基づいて、万券かつ正券の裏紙幣の場合は（Ｓ４０４において「Ｙｅｓ」）、当該紙幣を搬送路６ｃおよび６ｎを経て施封紙幣集積部７へ搬送する（Ｓ４０６）。なお表紙幣の施封を行う際に裏紙幣を施封紙幣集積部７へ搬送するのは、搬送路６ｎから施封紙幣集積部７に集積する際に紙幣の表裏が逆になるためである。
【０１８７】
一方、鑑別結果が万券かつ正券の表紙幣の場合（Ｓ４０４において「Ｎｏ」、Ｓ４０８において「Ｙｅｓ」）、制御部１７は、当該紙幣を搬送路６ｃおよび６ｄを経て一時保留部３へ搬送する（Ｓ４１０）。上述したように、紙幣折返部として機能する一時保留部３で紙幣を折り返して搬送路６ｎへ送り込むことで紙幣の表裏を反転させるためである。
【０１８８】
また、制御部１７は、鑑別結果が万券または正券以外の紙幣（例えば偽券、損券、走行異常等のリジェクト紙幣）の場合（Ｓ４０８において「Ｎｏ」）、当該紙幣を搬送路６ｃおよび６ｍを経てリジェクト庫５へ搬送する（Ｓ４１２）。この際、リジェクト庫５へ紙幣を搬送した分、施封紙幣が不足してしまうため、制御部１７は、紙幣カセット４ｄからの分離枚数を１枚増やす（Ｓ４１４）。
【０１８９】
続いて、紙幣カセット４ｄからの１００枚の紙幣の分離が終了した場合（Ｓ４１６において「Ｙｅｓ」）、制御部１７は、施封紙幣集積部７に１００枚の紙幣が搬送されたか否かを確認する（図２６に示すＳ４１８）。
【０１９０】
施封紙幣集積部７に１００枚の紙幣が搬送された場合（Ｓ４１８において「Ｙｅｓ」）、小束出金処理は終了し、図７に示したように、施封紙幣集積部７から施封部８への束搬送（Ｓ１１０）と、束紙幣の施封（Ｓ１１２）、および排出（Ｓ１１４）が行われる。
【０１９１】
一方、施封紙幣集積部７へ搬送された紙幣が１００枚に足りない場合（Ｓ４１８において「Ｎｏ」）、制御部１７は、一時保留部３から全ての紙幣を１枚ずつ分離する（Ｓ４２０、Ｓ４２２）。
【０１９２】
次いで、制御部１７は、三叉路セレクタ２０を搬送路６ｄ方向から搬送路６ｎ方向に切り替え、一時保留部３から分離した紙幣を搬送路６ｎに送り込み、施封紙幣集積部７へ搬送する（Ｓ４２４）。一時保留部３には、紙幣カセット４ｄから分離され鑑別部２で万券かつ正券の表紙幣と鑑別された紙幣が集積されているため（Ｓ４０８、Ｓ４１０）、一時保留部３から分離して搬送路６ｎへ送り込むことで、上述したように紙幣の表裏が反転される。
【０１９３】
そして、一時保留部３から全ての紙幣を分離し終えた場合、すなわち一時保留部３が空になった場合（Ｓ４２６において「Ｙｅｓ」）、小束出金処理は終了し、図７に示したように、施封紙幣集積部７から施封部８への束搬送（Ｓ１１０）と、束紙幣の施封（Ｓ１１２）、および排出（Ｓ１１４）が行われる。なお、走行状態が悪い紙幣を施封紙幣集積部７に搬送してしまうと束紙幣を正常に施封できない場合も考えられるため、三叉路セレクタ２０を鑑別部２の方向に切り替え、走行状態が悪い紙幣をリジェクト庫５に搬送し、不足紙幣を金種カセットから繰り出すことで束紙幣の品質を上げることもできる。
【０１９４】
以上説明したように、本変形例によれば、小束出金取引において、紙幣カセット４から分離された紙幣が表紙幣であると鑑別された場合に一時保留部３へ搬送して進路を折返し、三叉路セレクタ２０を搬送路６ｎ方向に切り替えて、一時保留部３から分離した紙幣を、搬送路６ｎを経て施封紙幣集積部７へ搬送することで、紙幣の表裏を反転させることができる。
【０１９５】
なお、入金取引時において、鑑別結果にしたがって所定金種の裏紙幣と表紙幣を別々の紙幣カセットへ収納しておいてもよい。この場合、小束出金取引時において、裏紙幣と鑑別された紙幣が集積されている紙幣カセット４から優先的に分離することで、一時保留部３を介して表裏を反転するための処理時間を削減することができる。
【０１９６】
（本実施形態による整理施封取引の動作フロー）
以上、紙幣カセット４から分離した紙幣を１００枚単位で束出金する束出金取引における表裏反転について説明したが、本変形例は束出金取引に限定されず、接客部１から分離した紙幣を１００枚単位で束出金する整理施封取引においても同様に一時保留部３を介して紙幣の表裏反転を行うことが可能である。このような本実施形態の変形例による整理施封取引について以下図２７、図２８を参照して説明する。
【０１９７】
図２７に示したように、まず、操作者が表示部１６に表示されたメニュー画面を操作して整理施封取引を選択し（Ｓ５００）、さらに施封券種（正券、損券、指定券）および施封金種を入力して（Ｓ５０２）、紙幣を接客部１に投入する（Ｓ５０４）。
【０１９８】
次に、制御部１７は、接客部１から紙幣を分離して整理施封計数処理を行う（Ｓ５０６）。具体的には、制御部１７は、接客部１から分離した紙幣を鑑別部２へ搬送し、鑑別結果が施封券種（指定された金種と正損種別が一致）の裏紙幣であれば施封紙幣集積部７へ搬送し、施封券種以外の紙幣またはリジェクト紙幣であれば施封できない紙幣であるため接客部１へ搬送して操作者に返却し、施封券種の表紙幣であれば表裏を反転させるために一時保留部３へ搬送する。
【０１９９】
次いで、制御部１７は、施封紙幣集積部７に、施封する所定の枚数、例えば１００枚の紙幣が集積されたか否かを確認する（Ｓ３０８）。施封紙幣集積部７に１００枚集積されていない場合（Ｓ３０８において「Ｎｏ」）、制御部１７は、一時保留部３から全ての紙幣を施封紙幣集積部７へ搬送する（Ｓ５０９）。より具体的には、制御部１７は、三叉路セレクタ２０を搬送路６ｎ方向へ切り替えて、一時保留部３から分離した紙幣を搬送路６ｎへ送り込む。これにより、紙幣の表裏を反転させることができる。
【０２００】
一時保留部３からの紙幣の分離が全て終了すると、制御部１７は、施封紙幣集積部７に、施封する所定の枚数、例えば１００枚の紙幣が集積されたか否かを再び確認する（Ｓ５１０）。
【０２０１】
施封紙幣集積部７に１００枚の紙幣が集積されている場合（Ｓ５０８において「Ｙｅｓ」、Ｓ５１０において「Ｙｅｓ」）、制御部１７は、施封紙幣集積部７から施封部８に束搬送を行い、施封部８により束紙幣に施封を行った後、施封部８から小束紙幣を押し出す（排出する）ことでシャッタ９を開き、小束受取位置まで小束紙幣を移動させる（Ｓ５１１）。制御部１７は、操作者が小束紙幣を受取ると、シャッタ９を閉じる。
【０２０２】
続くＳ５１２〜Ｓ５２６の処理は、図２０に示すＳ３１２〜Ｓ３２６の処理と同様のため、ここでの詳細な説明は省略する。
【０２０３】
一方、一時保留部３から全ての紙幣を施封紙幣集積部７へ搬送した後も、施封紙幣集積部７に１００枚の紙幣が集積されていない場合（Ｓ５１０において「Ｎｏ」）、制御部１７は、接客部１の残留紙幣の有無を確認し（図２８に示すＳ５３０）、接客部１に残留紙幣が無い場合（接客エンドが検出された場合）、紙幣の再投入の確認を行う（図２７に示すＳ５１４）。
【０２０４】
また、接客部１に紙幣は有るが（Ｓ５３０において「Ｎｏ」）、接客部１から紙幣が分離できない（ジャム等の障害発生、分離不良等が発生した）場合（Ｓ５３２において「Ｙｅｓ」）、制御部１７は、操作者に紙幣状態を確認してもらうために接客部１の紙幣の受取を促し（Ｓ５３８）、紙幣の再投入の確認を行う（図２７に示すＳ５１４）。
【０２０５】
また、接客部１に投入された現金が全て繰り出された（計数された）場合（Ｓ５３４において「Ｙｅｓ」）、制御部１７は、接客部１の残留紙幣の有無を確認し（Ｓ５３６）、残留紙幣が有る場合は操作者に残留紙幣（上記Ｓ５０９において施封できないため返却した紙幣）の抜き取りを促す（Ｓ５３８）。
【０２０６】
接客部１に投入された現金が全て計数されていない場合（Ｓ５３４において「Ｎｏ」）、または接客部１の残留紙幣が抜き取られると（Ｓ５３８）、制御部１７は、紙幣の再投入の確認を行う（図２７に示すＳ５１４）。
【０２０７】
以上説明したように、本実施形態によれば、整理施封取引において、接客部１から分離された紙幣が表紙幣であると鑑別された場合に一時保留部３を介して施封紙幣集積部７へ搬送することで、表裏を反転させることができる。
【０２０８】
なお、図２２〜図２４を参照して説明した例では、施封紙幣集積部７へ搬送する下流に設けられている紙幣集積部（一時保留部３）へ紙幣を搬送することで表裏反転を行っているが、下流に紙幣集積部が無い場合であっても、搬送路６ｄ上で紙幣の進路を折り返すことで表裏反転を行うことが可能である。具体的には、制御部１７は、鑑別部２で表と鑑別された紙幣を搬送路６ｃから搬送路６ｄへ搬送し、搬送路６ｄにおいて三叉路セレクタ２０を通過した時点で図示しない紙幣を搬送するモータを停止し、三叉路セレクタ２０を搬送路６ｎ方向に切り替え、搬送モータを起動することで搬送路６ｎに紙幣を送り込む。この場合、搬送路６ｎが折返部として用いられる。
【０２０９】
＜５．むすび＞
以上説明したように、本発明の実施形態によれば、特殊な表裏反転機構を備えなくとも、装置の小型化を実現しつつ、接客部１や三叉路セレクタ２０を用いることで表裏を反転させることができる。
【０２１０】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０２１１】
例えば、本明細書の現金処理装置１０の処理における各ステップは、必ずしもフローチャートとして記載された順序に沿って時系列に処理する必要はない。例えば、現金処理装置１０の処理における各ステップは、説明した順序と異なる順序で処理されても、並列的に処理されてもよい。
【０２１２】
また、現金処理装置１０に内蔵されるＣＰＵ、ＲＯＭおよびＲＡＭなどのハードウェアを、上述した現金処理装置１０の制御部１７と同等の機能を発揮させるためのコンピュータプログラムも作成可能である。また、該コンピュータプログラムを記憶させた記憶媒体も提供される。また、紙幣処理部１１、硬貨処理部１２に内蔵されるＣＰＵ、ＲＯＭおよびＲＡＭ等を実装している場合には、制御部１７と同様な機能を発揮させる事もできる。
【符号の説明】
【０２１３】
１      接客部
２      鑑別部
３      一時保留部
４ａ〜４ｄ  紙幣カセット
５      リジェクト庫
６ａ〜６ｎ  搬送路
７    施封紙幣集積部
８    施封部
９    シャッタ（小束出金口）
１０    現金処理装置
１１、２１    紙幣処理部
１１ａ    紙幣投入口
１１ｂ    紙幣異物返却部
１２    硬貨処理部
１３    カードリーダ部
１４    印字部
１５    操作部
１６    表示部
１７    制御部
１８    記憶部
１９    接客口
２０    三叉路セレクタ
２２    受入口
２３    繰出口
【図１】
2016071573.tif 000003
【図２】
2016071573.tif 000004
【図３】
2016071573.tif 000005
【図４】
2016071573.tif 000006
【図５】
2016071573.tif 000007
【図６】
2016071573.tif 000008
【図７】
2016071573.tif 000009
【図８】
2016071573.tif 000010
【図９】
2016071573.tif 000011
【図１０】
2016071573.tif 000012
【図１１】
2016071573.tif 000013
【図１２】
2016071573.tif 000014
【図１３】
2016071573.tif 000015
【図１４】
2016071573.tif 000016
【図１５】
2016071573.tif 000017
【図１６】
2016071573.tif 000018
【図１７】
2016071573.tif 000019
【図１８】
2016071573.tif 000020
【図１９】
2016071573.tif 000021
【図２０】
2016071573.tif 000022
【図２１】
2016071573.tif 000023
【図２２】
2016071573.tif 000024
【図２３】
2016071573.tif 000025
【図２４】
2016071573.tif 000026
【図２５】
2016071573.tif 000027
【図２６】
2016071573.tif 000028
【図２７】
2016071573.tif 000029
【図２８】
2016071573.tif 000030